(57)【要約】【課題】携帯型情報機器の表示面側にも背面側にもバランスの良い放射特性を得ることができる無線通信アンテナを内蔵した携帯型情報機器を提供する。【解決手段】本発明は、本体と、前記本体に回動可能に取り付けられた表示部と、前記表示部内に内蔵された液晶パネルと、前記表示部内において前記液晶パネルの上端よりも上方に位置するとともに、前記液晶パネルに対して所定間隔を存して配置された少なくとも１つの無線通信アンテナとを具備することを特徴とする携帯型情報機器、である。【選択図】　　図３
2004005653.tif 000002
【特許請求の範囲】
【請求項１】
本体と、
前記本体に回動可能に取り付けられた表示部と、
前記表示部内に内蔵された液晶パネルと、
前記表示部内において前記液晶パネルの上端よりも上方に位置するとともに、前記液晶パネルに対して所定間隔を存して配置された少なくとも１つの無線通信アンテナと
を具備することを特徴とする携帯型情報機器。
【請求項２】
前記無線通信アンテナのアンテナ基板をさらに具備し、
前記アンテナ基板は、前記液晶パネルに対して所定間隔を存して配置され、かつ前記表示部内に配置されていることを特徴とする請求項１記載の携帯型情報機器。
【請求項３】
前記無線通信アンテナは、
第１の無線通信方式に適合してダイバーシティアンテナを形成する第１および第２のアンテナと、
前記第１および第２のアンテナの間に設けられるとともに、前記第１の無線通信方式とは異なる第２の無線通信方式に適合する第３のアンテナと
を具備することを特徴とする請求項１記載の携帯型情報機器。
【請求項４】
前記第１のおよび第２のアンテナは、無線ＬＡＮ用のアンテナであり、前記第３のアンテナは、Ｂｌｕｅｔｏｏｔｈ用のアンテナであることを特徴とする請求項３記載の携帯型情報機器。
【請求項５】
前記アンテナ基板は、液晶パネルの背面側に取り付けられていることを特徴とする請求項２記載の携帯型情報機器。
【請求項６】
前記第１および第２のアンテナのそれぞれのアンテナ基板は、総周囲長が前記第１の無線通信方式の無線通信周波数の０．８波長から１．２５波長の長さのグランドパターンをそれぞれ有することを特徴とする請求項３記載の携帯型情報機器。
【請求項７】
前記第３のアンテナのアンテナ基板は、総周囲長が前記第２の無線通信方式の無線通信周波数の０．８波長から１．２５波長の長さのグランドパターンを有することを特徴とする請求項３記載の携帯型情報機器。
【請求項８】
前記本体には第１の無線通信用モジュールが内蔵され、前記第１及び第２のアンテナのアンテナ基板は、前記第１の無線通信用モジュールと同軸ケーブルを介して接続するための同軸コネクタをそれぞれ具備し、前記第１および第２のアンテナは前記同軸コネクタに接続されていることを特徴とする請求項３記載の携帯型情報機器。
【請求項９】
前記本体には第２の無線通信用モジュールが内蔵され、前記第３のアンテナのアンテナ基板は、前記第２の無線通信用モジュールと同軸ケーブルを介して接続するための同軸コネクタを具備し、前記第３のアンテナは前記同軸コネクタに接続されていることを特徴とする請求項３記載の携帯型情報機器。
【発明の詳細な説明】
【０００１】
【発明の属する技術分野】
本発明は、無線通信アンテナを内蔵した携帯型情報機器に関し、特に、無線通信アンテナを内蔵したノート型パーソナルコンピュータに関する。
【０００２】
【従来の技術】
従来より、無線通信アンテナを内蔵したノート型パーソナルコンピュータ（以下、ノートＰＣという）が開発されている。このようなノートＰＣは、ノートＰＣの液晶ディスプレイの背面側に２つのスロットアンテナを取り付けることでコンパクトなアンテナ内蔵型ノートＰＣを実現している。また、ダイバーシティの方式として２つのアンテナを実装する無線ＬＡＮのダイバーシティ方式を採用している。
【０００３】
【特許文献１】
特開平８−７８９３１号公報（図３、第１６段落）
【０００４】
【発明が解決しようとする課題】
しかしながら、特許文献１に開示された技術によれば、誘電材料のケースを用いることにより小型化を図っているが、面積的に大きい為に液晶ディスプレイの筺体部の背面側にアンテナを実装する構造になる。したがって、液晶ディスプレイの背面側には強く放射するが、表示面側の放射は少ないという問題があった。
【０００５】
一方、近年、新たに近距離無線通信方式Ｂｌｕｅｔｏｏｔｈが開発され、今後、複数の無線通信方式を具備するために、多くのアンテナを実装する必要がある。
【０００６】
例えば、同じ２．４ＧＨｚ帯の無線ＬＡＮ８０２．１１ｂとＢｌｕｅｔｏｏｔｈの組み合わせや、将来的には５ＧＨｚ帯の無線ＬＡＮ８０２．１１ａとＢｌｕｅｔｏｏｔｈの組合わせなどが考えられる。
【０００７】
しかしながら、従来より市場で販売されている無線通信機能を有するノートＰＣは、単一の無線ＬＡＮ通信機能や単一のＰＨＳ通信機能などを内蔵しているのみである。
【０００８】
したがって、従来のノートＰＣに、これら複数の無線通信機能に適合したアンテナを実装しようとするとアンテナ間の干渉やダイバーシティ方式アンテナの効果が低減するという問題があった。
【０００９】
本発明は、上記実情に鑑みてなされたものであり、携帯型情報機器の表示面側にも背面側にもバランスの良い放射特性を得ることができる無線通信アンテナを内蔵した携帯型情報機器を提供することを目的とする。
【００１０】
【課題を解決するための手段】
したがって、本発明の第１の発明によれば、本体と、前記本体に回動可能に取り付けられた表示部と、前記表示部内に内蔵された液晶パネルと、前記表示部内において前記液晶パネルの上端よりも上方に位置するとともに、前記液晶パネルに対して所定間隔を存して配置された少なくとも１つの無線通信アンテナとを具備することを特徴とする携帯型情報機器、である。
【００１１】
【発明の実施の形態】
以下、図面を参照して本発明の一実施の形態に係る無線通信アンテナを内蔵したノートＰＣについて説明する。
【００１２】
＜第１の実施の形態＞
本実施の形態においては、２．４ＧＨｚ帯の８０２．１１ｂの無線ＬＡＮと、ＢｌｕｅｔｏｏｔｈとをノートＰＣに搭載する場合について説明する。
【００１３】
図１は、本発明の第１の実施の形態にかかるノートＰＣに組み込まれるアンテナのアンテナ基板を示す図である。
【００１４】
同図に示すように、アンテナ基板Ａは、片面ガラスエポキシ基板１、片面ガラスエポキシ基板１上に取り付けられたチップアンテナ２、整合用のインダクタ３、本体側のモジュールと同軸ケーブルにて接続する為の同軸コネクタ４から成り立っている。チップアンテナ２は、整合用のインダクタ４及び同軸コネクタ４を介して同軸ケーブルに接続されている。
【００１５】
ガラスエポキシ基板１のＧＮＤパターン５の形状は、安定した帯域を確保する為にその全周囲長が周波数帯域の０．８波長から１．２５波長になる様にする。ここでは、ＧＮＤパターン５の形状を縦２０［ｍｍ］、横４５［ｍｍ］の長方形形状と、同軸コネクタ４周辺の縦に約５［ｍｍ］突出したその他の部分とで構成している。
【００１６】
本実施の形態においては、上記チップアンテナ２が、無線ＬＡＮ用アンテナ及びＢｌｕｅｔｏｏｔｈ用アンテナとなる。
【００１７】
図２は、ノートＰＣの液晶パネルの背面に取り付けられた図１に示したアンテナ基板を示す斜視図である。また、図３は、図２に示したアンテナ基板を搭載した表示部の断面図である。なお、図１と同一部分には、同一符号を付して説明する。
【００１８】
図２及び図３に示すように、アンテナ基板Ａは、液晶パネル１１の背面側であって、かつアンテナ基板Ａに設けられたチップアンテナ２が液晶パネル１１の上部に位置するように取り付けられている。ここでは、液晶パネル１１の上端と、チップアンテナ２との間隔を３［ｍｍ」としている。
【００１９】
このようにチップアンテナ２を配置することにより、液晶パネル１１の全面側と背面側との放射特性が偏らないようにすることができる。また、液晶パネルを含む表示部の厚さを薄くすることができる。
【００２０】
アンテナ基板Ａは、携帯型情報機器の表示部の筐体１２に形成された固定部１３ａ、１３ｂによって、筐体１２に固定される。なお、本実施の形態においては、アンテナ基板Ａを筐体に形成された固定部１３ａ、１３ｂによって固定されている場合を示しているが、アンテナ基板Ａの筐体１２への固定方法はこれに限られるものではない。アンテナ基板Ａが、液晶パネル１１の背面側であって、アンテナ基板Ａに設けられたチップアンテナ２が液晶パネル１１の上部に位置するように筐体１２へ固定されればよい。
【００２１】
図４は、無線ＬＡＮ８０２．１１ｂのダイバーシティ方式の２つのアンテナと、Ｂｌｕｅｔｏｏｔｈ用アンテナとの実装位置を説明するための図である。なお、図１乃至図３と同一部分には同一符号を付して説明する。
【００２２】
同図に示すように、ノートＰＣの本体３３にヒンジ２５によって回動可能に取り付けられた表示部３０の液晶パネル１１の背面側の筐体１２には、アンテナ基板Ａ−１〜Ａ−３が取り付けられている。
【００２３】
ここで、アンテナ基板Ａ−１、Ａ−２は、無線ＬＡＮ８０２．１１ｂのダイバーシティ方式の無線ＬＡＮ用アンテナ２−１、２−２を搭載したアンテナ基板である。また、アンテナ基板Ａ−３は、Ｂｌｕｅｔｏｏｔｈ用アンテナ２−３を搭載した基板である。
【００２４】
すなわち、無線ＬＡＮ８０２．１１ｂのダイバーシティ方式のアンテナ２−１、２−２の間にＢｌｕｅｔｏｏｔｈ用アンテナ２−３が配置される。アンテナ基板Ａ−１〜Ａ−３の実装の方法は、図３に示した通りである。
【００２５】
液晶ディスプレイ１１の上部の無線ＬＡＮ用アンテナ２−１と無線ＬＡＮ用アンテナ２−２間の距離は、ダイバーシティの効果を得る為に３／４λ以上で（２ｎ＋１）／４λ（ｎ＝１，２，３…）を満たすことを考慮すると、Ａ４版ノート型パーソナルコンピュータの場合は、ｎ＝２，ｎ＝３，ｎ＝４が望ましい。同様にＢ５版ノート型パーソナルコンピュータの場合は、ｎ＝２，ｎ＝３が望ましい。
【００２６】
本実施の形態では、ｎ＝２の場合である約１５０ｍｍの距離で２つの無線ＬＡＮ用アンテナ２−１、２−２間を離している。近距離無線通信Ｂｌｕｅｔｏｏｔｈにおいては、低コストの無線通信機能である為に無線ＬＡＮのようなダイバーシティの機能は無いので１つのＢｌｕｅｔｏｏｔｈ用アンテナ２−３を実装する。Ｂｌｕｅｔｏｏｔｈ用アンテナ２−３の無指向性を実現する為には、できるだけ筺体の中央に配置することが望ましい。したがって、２つの無線ＬＡＮ用アンテナ３２，３３の間にＢｌｕｅｔｏｏｔｈ用アンテナ３４を配置する構造とする。
【００２７】
さらに、それぞれ無線ＬＡＮ用無線通信モジュール３１、Ｂｌｕｅｔｏｏｔｈ用無線通信モジュール３２を本体３３に内蔵し、ヒンジ２５を通してそれぞれのアンテナ基板Ａ−１〜Ａ−３上の同軸コネクタ４−１〜４−３に同軸ケーブル２１〜２３により接続する。このような構成にすることにより、厚みのあるモジュール部分を本体内に内蔵でき、その結果、表示部の薄型化を実現できる。
【００２８】
図５は、本発明の実施の形態に係るノートＰＣのハードウェア構成を示す図である。なお、図５においては、本実施の形態の特徴部分だけを示しており、ノートＰＣの本来的な機能であるキーボードコントローラ、ディスプレイコントローラなどは示していない。
【００２９】
同図に示すように、表示部の液晶パネル背面側に取り付けられた無線ＬＡＮ用アンテナ２−１、２−２は、同軸コネクタ４−１〜４−２に接続された同軸ケーブル２１、２２を介して無線ＬＡＮ用無線通信モジュール３１に接続される。
【００３０】
一方、表示部の液晶パネル背面側に取り付けられたＢｌｕｅｔｏｏｔｈ用アンテナ２−３は、同軸コネクタ４−３に接続された同軸ケーブル２３を介してＢｌｕｅｔｏｏｔｈ用無線通信モジュール３２に接続される。
【００３１】
上記無線ＬＡＮ用無線通信モジュール３１及びＢｌｕｅｔｏｏｔｈ用無線通信モジュール３２は、ＣＰＵバス４３に接続されている。また、ＣＰＵバス４３には、ノートＰＣ全体の制御を司るためのＣＰＵ４５及び、無線ＬＡＮ用アンテナ２−１、２−２、Ｂｌｕｅｔｏｏｔｈ用アンテナ２−３からの受信データ、無線ＬＡＮ用アンテナ２−１、２−２、Ｂｌｕｅｔｏｏｔｈ用アンテナ２−３への送信データを格納するためのメモリ４４が接続されている。
【００３２】
図６は、無線ＬＡＮ用モジュールを示すブロック図である。
【００３３】
同図に示すように、無線ＬＡＮ用無線通信モジュール３１は、比較部５１、ＲＦ部５２、水晶発信部５３及びベースバンド処理部５４を具備している。
【００３４】
比較部５１は、無線ＬＡＮ用アンテナ２−１、無線ＬＡＮ用アンテナ２−２から同軸ケーブル２１、２２を介して入力される２つの信号のレベルの比較を行ない、信号レベルの高い方の信号をＲＦ部５２に出力する。また、ＲＦ部５２から出力される高周波信号を無線ＬＡＮ用アンテナ２−１及び無線ＬＡＮ用アンテナ２−２に出力する。
【００３５】
ＲＦ部５２は、比較部５１から出力される高周波信号を水晶発信部５３からの発信周波数に基づいて、ベースバンド信号にダウンコンバートする。また、ベースバンド処理部５４から出力されるベースバンド信号を、水晶発信部５３からの発信周波数に基づいて、高周波信号にコンバートする。
【００３６】
ベースバンド処理部５４は、ＲＦ部５２から出力されたベースバンド信号をＡ／Ｄ変換して、ノートＰＣのＣＰＵ４５によって処理可能なデジタル信号に変換する。また、ＣＰＵバス４３を介して送られてきたデジタルデータをＤ／Ａ変換してアナログ信号に変換し、ＲＦ部５２に送信する。
【００３７】
図７は、Ｂｌｕｅｔｏｏｔｈ用モジュールを示すブロック図である。
【００３８】
同図に示すように、Ｂｌｕｅｔｏｏｔｈ用無線通信モジュール３２は、ＲＦ部６１、水晶発信部６２及びベースバンド処理部６３を具備している。
【００３９】
ＲＦ部６１は、Ｂｌｕｅｔｏｏｔｈ用アンテナ２−３からの高周波信号を水晶発信部６２からの発信周波数に基づいて、ベースバンド信号にダウンコンバートする。また、ベースバンド処理部６３から出力されるベースバンド信号を、水晶発信部６２からの発信周波数に基づいて、高周波信号にコンバートする。
【００４０】
ベースバンド処理部６３は、ＲＦ部６１から出力されたベースバンド信号をＡ／Ｄ変換して、ノートＰＣのＣＰＵ４５によって処理可能なデジタル信号に変換する。また、ＣＰＵバス４３を介して送られてきたデジタルデータをＤ／Ａ変換してアナログ信号に変換し、ＲＦ部６１に送信する。
【００４１】
従って、本実施の形態のノートＰＣにおいては、下記のように動作する。
【００４２】
まず、無線ＬＡＮ用アンテナ２−１、２−３からデータを送信する場合には、ＣＰＵ４５は、送信データをメモリ４４に格納した後、メモリ４４に格納された送信データをＣＰＵバス３４を介して無線ＬＡＮ用無線通信モジュール３１に送る。
【００４３】
無線ＬＡＮ用モジュール内においては、送信データをベースバンド処理部５４によってＤ／Ａ変換してベースバンドのアナログの送信データに変換してＲＦ部５２に出力する。ＲＦ部５２は、水晶発信部５３からの発信周波数に基づいて、ベースバンドの送信データを無線ＬＡＮ通信に用いられる高周波の送信データに変換し、比較部５１に出力する。
【００４４】
比較部５１は、ＲＦ部５２からの高周波の送信データを同軸ケーブル２１、２２を介して無線ＬＡＮ用アンテナ２−１、２−２に出力する。これにより、無線ＬＡＮ用アンテナ２−１、２−２から送信データが送信される。
【００４５】
一方、無線ＬＡＮ用アンテナ２−１，２−２からデータを受信する場合には、まず、無線ＬＡＮ用アンテナ２−１，２−２からの２つの信号が比較部５１に入力される。
【００４６】
比較部５１は、２つの無線ＬＡＮ用アンテナ２−１，２−２からの信号が入力されると、信号レベルの高い信号を選択し、ＲＦ部５２に出力する。ＲＦ部５２は、比較部５１から出力された信号を水晶発信部５２からの発信周波数に基づいて、ベースバンド信号にダウンコンバートして、ベースバンド処理部５４に出力する。
【００４７】
ベースバンド処理部５４は、ＲＦ部５２から出力された信号をＡ／Ｄ変換して、ノートＰＣのＣＰＵ４５によって処理可能なデジタル信号に変換し、ＣＰＵバスに出力する。ＣＰＵパスに出力された受信信号はメモリ４４も格納される。
【００４８】
次に、Ｂｌｕｅｔｏｏｔｈ用アンテナ２−３からデータを送信する場合について説明する。
【００４９】
この場合、まず、ＣＰＵ４５は、送信データをメモリ４４に格納した後、メモリ４４に格納された送信データをＣＰＵバス３４を介してｂｌｕｅｔｏｏｔｈ用無線通信モジュール３２に送る。
【００５０】
ｂｌｕｅｔｏｏｔｈ用無線通信モジュール３２内においては、送信データをベースバンド処理部６３によってＤ／Ａ変換してベースバンドのアナログの送信データに変換してＲＦ部６１に出力する。ＲＦ部６１は、水晶発信部６２からの発信周波数に基づいて、ベースバンドの送信データをＢｌｕｅｔｏｏｔｈ無線通信に用いられる高周波の送信データに変換し、同軸ケーブル２３を介してｂｌｕｅｔｏｏｔｈ用アンテナ２−３に出力する。これにより、ｂｌｕｅｔｏｏｔｈ用アンテナ２−３から送信データが送信される。
【００５１】
一方、ｂｌｕｅｔｏｏｔｈ用アンテナ２−３からのデータを受信する場合には、まず、ｂｌｕｅｔｏｏｔｈ用アンテナ２−３からの信号がＲＦ部６１に入力される。
【００５２】
ＲＦ部６１は、ｂｌｕｅｔｏｏｔｈ用アンテナ２−３からの信号を水晶発信部６２からの発信周波数に基づいて、ベースバンド信号にダウンコンバートして、ベースバンド処理部６３に出力する。
【００５３】
ベースバンド処理部６３は、ＲＦ部６１から出力された信号をＡ／Ｄ変換して、ノートＰＣのＣＰＵ４５によって処理可能なデジタル信号に変換し、ＣＰＵバスに出力する。ＣＰＵパスに出力された受信信号はメモリ４４も格納される。
【００５４】
図８は、Ｂｌｕｅｔｏｏｔｈ用アンテナ２−３の放射特性を示す図、図９は無線ＬＡＮアンテナ２−１の放射特性を示す図、図１０は無線ＬＡＮアンテナ２−２の放射特性を示す図である。
【００５５】
同図に示すように、Ｂｌｕｅｔｏｏｔｈ用アンテナ２−３の放射特性と２つの無線ＬＡＮ用アンテナ２−１、２−２の放射特性は、共に良好な特性が得られている。特に、垂直偏波の放射特性はディップが無く、ほぼ無指向性の特性が得られている。
【００５６】
次に、５ＧＨｚ帯の無線ＬＡＮ８０２．１１ａ用アンテナと、Ｂｌｕｅｔｏｏｔｈ用アンテナを内蔵する場合について、図１１を用いて説明する。この場合は、周波数帯域が異なる為に同時使用が可能である。なお、図４と同一部分には、同一符号を付して説明する。
【００５７】
３つのアンテナ同士はできるだけ離した方が干渉を受け難い。無線ＬＡＮのダイバーシティ効果を十分得ることとアンテナ間の干渉を低減するために３／４λ以上で（２ｎ＋１）／４λ（ｎ＝１，２，３…）を満たすことを考慮するとＡ４版ノート型パーソナルコンピュータの場合は、ｎ＝４，ｎ＝５，…，ｎ＝９が望ましい。同様にＢ５版ノート型パーソナルコンピュータの場合は、ｎ＝４，ｎ＝５，…，ｎ＝８が望ましい。
【００５８】
ここでは、液晶パネル１１の上部にある無線ＬＡＮ用アンテナ７１−１、７１−２間の距離は、ｎ＝５の場合である約１６０ｍｍとしている。近距離無線通信Ｂｌｕｅｔｏｏｔｈにおいては、低コストの無線通信機能である為に無線ＬＡＮのようなダイバーシティの機能は無いので１つのＢｌｕｅｔｏｏｔｈ用アンテナ７４を実装する。無指向性を実現する為には、できるだけ筺体の中央に配置することが望ましい。したがって、図１１に示すように、２つの無線ＬＡＮ用アンテナ７１−１、７１−２の間にＢｌｕｅｔｏｏｔｈ用アンテナ７１−３を配置する。
【００５９】
２つの無線ＬＡＮ用アンテナ７１−１、７１−２及びＢｌｕｅｔｏｏｔｈ用アンテナ７１−３と、無線ＬＡＮ用無線通信モジュール３１、Ｂｌｕｅｔｏｏｔｈ用無線通信モジュール３２との接続構成は、図５に示した通りである。
【００６０】
また、無線用ＬＡＮ用モジュール３１及びＢｌｕｅｔｏｏｔｈ用モジュール３２の内部構成は、図６及び図７に示した構成と同様なので、ここではその説明を省略する。
【００６１】
従って、本実施の形態のノートＰＣによれば、２つのダイバーシティ方式の無線用ＬＡＮアンテナの間にＢｌｕｅｔｏｏｔｈ用アンテナを配置することにより、Ｂｌｕｅｔｏｏｔｈ用無線アンテナの放射性能を引き出すことができるとともに、２つのダイバーシティ方式の無線用ＬＡＮアンテナについてはフェージングの影響を少なくすることができる。
【００６２】
また、上記無線用ＬＡＮアンテナ及びＢｌｕｅｔｏｏｔｈ用アンテナを液晶パネルの上部に配置することにより、ノートＰＣの表示部の薄型化を図ることができる。また、無線用ＬＡＮアンテナ及びＢｌｕｅｔｏｏｔｈ用アンテナの液晶パネルの全面側及び背面側に良好な放射特性を得ることができる。
【００６３】
さらに、無線用ＬＡＮアンテナ及びＢｌｕｅｔｏｏｔｈ用アンテナのアンテナ基板に、総周囲長が無線通信周波数の０．８波長〜１．２５波長のＧＮＤパターンをアンテナ基板に形成することにより、良好な放射特性を得ることができる。
【００６４】
さらに、本実施の形態によれば、無線ＬＡＮ用モジュール及びＢｌｕｅｔｏｏｔｈ用モジュールをノートＰＣ本体に内蔵しているので、表示部を薄型化うることができる。
【００６５】
＜第２の実施の形態＞
次に、本発明の第２の実施の形態に係るノートＰＣについて説明する。
【００６６】
上述の第１の実施の形態においては、無線ＬＡＮ用アンテナと、Ｂｌｕｅｔｏｏｔｈ用アンテナとを別個に設けた場合について説明した。本実施の形態のノートＰＣの特徴は、無線ＬＡＮ用アンテナとＢｌｕｅｔｏｏｔｈ用アンテナとを共用したことを特徴とする。
【００６７】
図１２は、本発明の第２の実施の形態に係るノートＰＣのハードウェア構成を示す図である。なお、図５と同一部分には同一符号を付して説明する。また、図１２においては、図５と同様に、本実施の形態の特徴部分だけを示しており、ノートＰＣの本来的な機能であるキーボードコントローラ、ディスプレイコントローラなどは示していない。
【００６８】
同図に示すように、本実施の形態のノートＰＣは、表示部３０に無線ＬＡＮ用アンテナ８１と、無線ＬＡＮ用アンテナとペアでダイバーシティ方式の無線アンテナを構成し、かつＢｌｕｅｔｏｏｔｈ用のアンテナの役割をも有する共有アンテナ８２とを具備している。
【００６９】
なお、無線ＬＡＮ用アンテナ８１及び共有アンテナ８２は、第１の実施の形態と同様に、図２及び図３に示したように、液晶パネルの背面側であって、アンテナが液晶パネルの上部に位置するようにノートＰＣの表示部に実装される。
【００７０】
また、ノートＰＣ本体には、無線ＬＡＮ用無線通信モジュール３１及びＢｌｕｅｔｏｏｔｈ用無線通信モジュール３２と、同軸ケーブル２１、２２との間のアンテナスイッチ９１、アンテナスイッチ９１にアンテナを切り換えるための制御信号を出力するためのアンテナスイッチ制御回路９２が設けられている。
【００７１】
無線ＬＡＮ用アンテナ８１と共有アンテナ８２とは、ペアでダイバーシティ方式のアンテナを構成することから、アンテナ間の距離は、上述の第１の実施の形態の無線用ＬＡＮアンテナと同様に、無線用ＬＡＮアンテナの無線通信周波数の波長をλとすると、３／４λ以上で（２ｎ＋１）／４λ（ｎ＝１，２，３…）である。
【００７２】
アンテナスイッチ制御回路９２は、アプリケーションプログラムなどのソフトウェアからの指示、或いはノートＰＣに設けられたハードウェアスイッチからの指示に基づいて、無線用ＬＡＮアンテナとして使用する場合、すなわち、無線用ＬＡＮアンテナ８１及び共用アンテナ８２を無線ＬＡＮ用無線通信モジュール３１に接続する場合を示す第１の制御信号、或いは、Ｂｌｕｅｔｏｏｔｈアンテナとして使用する場合、すなわち、共有アンテナ８２をＢｌｕｅｔｏｏｔｈ用無線通信モジュール３２に接続する場合を示す第２の制御信号をアンテナスイッチ９１に出力する。
【００７３】
アンテナスイッチ９１は、アンテナスイッチ制御回路９２からの制御信号に基づいて、アンテナの接続構成を切り換える。具体的には、アンテナスイッチ９１は、アンテナスイッチ制御回路９２から第１の制御信号を受信すると、ＬＡＮアンテナ８１及び共用アンテナ８２を無線ＬＡＮ用無線通信モジュール３１に接続する。一方、アンテナスイッチ制御回路９２から第２の制御信号を受信すると、共有アンテナ８２をＢｌｕｅｔｏｏｔｈ用無線通信モジュール３２に接続する。
【００７４】
したがって、本実施の形態のノートＰＣによれば、ダイバーシティ方式の無線用ＬＡＮアンテナの１つをｂｌｕｔｏｏｔｈ用アンテナと共用することにより、アンテナの数を減らすことができ、その結果、コンパクトで安価なノートＰＣを提供することができる。
【００７５】
【発明の効果】
以上詳記したように本発明によれば、携帯型情報機器の表示面側にも背面側にもバランスの良い放射特性を得ることができる無線通信アンテナを内蔵した携帯型情報機器を提供することができる。
【図面の簡単な説明】
【図１】本発明の第１の実施の形態にかかるノートＰＣに組み込まれるアンテナのアンテナ基板を示す図。
【図２】ノートＰＣの液晶パネルの背面に取り付けられた図１に示したアンテナ基板を示す斜視図。
【図３】図２に示したアンテナ基板を搭載した表示部の断面図。
【図４】無線ＬＡＮ８０２．１１ｂのダイバーシティ方式の２つのアンテナと、Ｂｌｕｅｔｏｏｔｈ用アンテナとの実装位置を説明するための図。
【図５】本発明の実施の形態に係るノートＰＣのハードウェア構成を示す図。
【図６】無線ＬＡＮ用モジュールを示すブロック図。
【図７】Ｂｌｕｅｔｏｏｔｈ用モジュールを示すブロック図。
【図８】Ｂｌｕｅｔｏｏｔｈ用アンテナ２−３の放射特性を示す図。
【図９】無線ＬＡＮアンテナ２−１の放射特性を示す図。
【図１０】無線ＬＡＮアンテナ２−２の放射特性を示す図。
【図１１】５ＧＨｚ帯の無線ＬＡＮ８０２．１１ａ用アンテナと、Ｂｌｕｅｔｏｏｔｈ用アンテナを内蔵する場合を説明するための図。
【図１２】本発明の第２の実施の形態に係るノートＰＣのハードウェア構成を示す図。
【符号の説明】
Ａ、Ａ−１〜Ａ−３…アンテナ基板、
１…片面ガラスエポキシ基板、
２…チップアンテナ、
２−１、２−２…無線ＬＡＮ用アンテナ、
２−３…Ｂｌｕｅｔｏｏｔｈ用アンテナ、
３…整合用のインダクタ、
４、４−１〜４−３…同軸コネクタ、
５…ＧＮＤパターン、
１１…液晶パネル、
１２…筐体、
１３ａ，１３ｂ…固定部、
２１〜２３…同軸ケーブル、
２５…ヒンジ、
３０…表示部、
３１…無線ＬＡＮ用無線通信モジュール、
３２…Ｂｌｕｅｔｏｏｔｈ用無線通信モジュール、
３３…ノートＰＣの本体、
４３…ＣＰＵバス、
４４…メモリ、
４５…ＣＰＵ、
５１…比較部、
５２、６１…ＲＦ部、
５３、６２…水晶発信部、
５４、６３…ベースバンド処理部、
７１−１、７１−２…無線ＬＡＮ用アンテナ、
７１−３…Ｂｌｕｅｔｏｏｔｈ用アンテナ、
８１…無線ＬＡＮ用アンテナ、
８２…共有アンテナ、
９１…アンテナスイッチ、
９２…アンテナ制御回路。
【図１】
2004005653.tif 000003
【図２】
2004005653.tif 000004
【図３】
2004005653.tif 000005
【図４】
2004005653.tif 000006
【図５】
2004005653.tif 000007
【図６】
2004005653.tif 000008
【図７】
2004005653.tif 000009
【図８】
2004005653.tif 000010
【図９】
2004005653.tif 000011
【図１０】
2004005653.tif 000012
【図１１】
2004005653.tif 000013
【図１２】
2004005653.tif 000014